(57)【要約】【課題】利用者がより早く映像を見ることが可能なプロジェクタを提供する。【解決手段】光源ランプ２４と、光源ランプ２４用の電源を生成する主電源２６およびランプ駆動部２１とを備え、光源ランプ２４から射出された投射光Ｌを光変調してスクリーン２２に投射することによって表示画面を表示可能に構成されたテレビジョン装置１であって、人体を感知したときに検出信号Ｓｄを出力する人感センサ部４と、検出信号Ｓｄ（電気信号Ｓ１）を入力したときに主電源２６およびランプ駆動部２１に対して電源を光源ランプ２４に供給させる制御部２７とを備えている。【選択図】        図１
2004271966.tif 000002
【特許請求の範囲】
【請求項１】
光源ランプと、当該光源ランプ用の電源を生成する電源部とを備え、前記光源ランプから射出された光を光変調してスクリーンに投射することによって表示画面を表示可能に構成されたプロジェクタであって、
人体を感知したときに検出信号を出力する人感センサ部と、前記検出信号を入力したときに前記電源部に対して前記電源を前記光源ランプに供給させる制御部とを備えているプロジェクタ。
【請求項２】
前記人感センサ部は、当該プロジェクタの装置本体とは別体に形成されると共に、前記検出信号を送信する送信部を備えて構成され、
前記装置本体は、前記送信部によって送信された前記検出信号を受信して前記制御部に出力する受信部を備えている請求項１記載のプロジェクタ。
【請求項３】
前記人感センサ部は、前記装置本体とは別体に形成された遠隔操作器に備えられている請求項１または２記載のプロジェクタ。
【請求項４】
前記制御部は、前記人感センサ部による前記検出信号の出力が停止されてから一定時間が経過した時点で前記電源部に対して前記電源の供給を停止させる請求項１から３のいずれかに記載のプロジェクタ。
【発明の詳細な説明】
【０００１】
【発明の属する技術分野】
本発明は、光源ランプから射出された光を光変調してスクリーンに表示画面を表示可能に構成されたプロジェクタに関するものである。
【０００２】
【従来の技術】
この種のプロジェクタの一例として、出願人は、特開２００２−１３９７９４号公報に背面投射型表示装置（１０）を開示している。この背面投射型表示装置は、高圧水銀ランプやメタルハライドランプ等からなる光源（２１）を有して赤色光、緑色光および青色光を射出する光発生手段（２０）と、光発生手段によって射出された光を光変調する光変調装置（３０Ｒ，３０Ｇ，３０Ｂ）と、光変調装置によって光変調された光を拡大するためのレンズ等からなる投写光学系（４０Ｒ，４０Ｇ，４０Ｂ）と、投写光学系によって拡大された光を反射する反射ミラー（５１，５２）と、反射ミラーによって反射された光を受光して各種の表示画面を投射表示可能に構成された背面投射型のスクリーン（６０）とを備えている。この背面投射型表示装置では、利用者によって電源スイッチが操作されて電源が投入された際に、光発生手段に対する通電が開始されて光源が点灯させられる。次に、光発生手段によって射出された光が光変調装置によって光変調されて、投写光学系および反射ミラーを経てスクリーンに背面側から投射される。これにより、光変調装置による光変調に応じた表示画面がスクリーンに投射表示される。
【０００３】
【特許文献１】
特開２００２−１３９７９４号公報（第４−６頁）
【０００４】
【発明が解決しようとする課題】
ところが、このプロジェクタには、以下の改善すべき課題がある。すなわち、このプロジェクタでは、光源として高圧水銀ランプやメタルハライドランプ等が採用されている。この場合、高圧水銀ランプやメタルハライドランプを点灯させる際には、ランプを保護すべく、供給する電源の電圧を徐々に上昇させる必要がある。このため、ランプの輝度が表示画面の投射表示が可能な程度に上昇するまでに、電源供給の開始時点から、数十秒〜数分程度の時間を要する。したがって、利用者によって電源スイッチが操作されてから暫くの間は、表示画面がスクリーンに投射表示されない状態となる。このため、利用者は電源スイッチの操作後すぐに使用したいにも拘わらず待たされることになり、この点を改善するのが好ましい。一方、この点を解決するためにプロジェクタを常時作動させておく方法も考えられる。しかし、利用者が存在しないにも拘わらず作動させておくこととなり、電力を無駄に消費する。また、プロジェクタの光源ランプは、一般的に１０，０００時間程度の使用で球切れするおそれがある。このため、プロジェクタを常時作動させておくことは、限りある寿命の光源ランプを有効利用できないことにもなる。
【０００５】
本発明は、かかる改善すべき課題に鑑みてなされたものであり、利用者がより早く映像を見ることが可能なプロジェクタを提供することを主目的とする。
【０００６】
【課題を解決するための手段】
上記目的を達成すべく本発明に係るプロジェクタは、光源ランプと、当該光源ランプ用の電源を生成する電源部とを備え、前記光源ランプから射出された光を光変調してスクリーンに投射することによって表示画面を表示可能に構成されたプロジェクタであって、人体を感知したときに検出信号を出力する人感センサ部と、前記検出信号を入力したときに前記電源部に対して前記電源を前記光源ランプに供給させる制御部とを備えている。
【０００７】
このプロジェクタでは、人感センサ部が、利用者の存在を感知したときに検出信号を制御部に出力する。次いで、制御部が、検出信号を入力したときに電源部に対して電源を光源ランプに供給させる。したがって、利用者がプロジェクタを自ら操作して電源を投入するのと比較して、人感センサ部が利用者の存在を感知した時点で光源ランプに対する電源供給が自動的に開始されるため、その分、利用者は、より早く映像を見ることが可能となる。
【０００８】
また、本発明に係るプロジェクタでは、上記のプロジェクタにおいて、前記人感センサ部は、当該プロジェクタの装置本体とは別体に形成されると共に、前記検出信号を送信する送信部を備えて構成され、前記プロジェクタ本体は、前記送信部によって送信された前記検出信号を受信して前記制御部に出力する受信部を備えている。
【０００９】
このプロジェクタでは、人感センサ部がプロジェクタの装置本体とは別体に形成されているため、その人感センサ部を任意の場所に設置することができる。したがって、例えば、プロジェクタを設置した部屋の出入り口や照明スイッチの近くなどに人感センサ部を設置することができる。この場合、利用者がその出入り口から部屋に入室する際には、人感センサが利用者の存在をいち早く感知する。したがって、例えば、人感センサをプロジェクタの装置本体などに取り付けた構成と比較して、光源ランプに対する電源供給が迅速に開始されるため、その分、利用者は、一層早く映像を見ることが可能となる。
【００１０】
さらに、本発明に係るプロジェクタは、上記のプロジェクタにおいて、前記人感センサ部は、前記プロジェクタの装置本体とは別体に形成された遠隔操作器に備えられている。
【００１１】
プロジェクタの表示画面を楽しむ際には、一般的に、利用者は遠隔操作器を操作する。このプロジェクタでは、遠隔操作器に配設された人感センサ部が、遠隔操作器に近づいた利用者を感知したときに、検出信号を装置本体に出力する。このため、人感センサが、より確実に利用者の存在を感知する。したがって、利用者自らが遠隔操作器の電源スイッチなどを操作するのと比較して、確実により早く映像を見ることが可能となる。
【００１２】
また、本発明に係るプロジェクタは、上記のプロジェクタにおいて、前記制御部は、前記人感センサ部による前記検出信号の出力が停止されてから一定時間が経過した時点で前記電源部に対して前記電源の供給を停止させる。
【００１３】
人感センサ部によって利用者の不在が感知された時点で光源ランプを消灯する構成を採用した場合、利用者が中座する都度、光源ランプが消灯するため、中座後に戻った時点で直ちに表示画面を見ることが困難となる。一方、このプロジェクタでは、人感センサ部が、利用者の存在を感知しなくなったときに検出信号の出力を停止し、この際に、制御部は、検出信号の出力が停止されてから一定時間が経過した時点で電源部に対して電源の供給を停止させることによって光源ランプを消灯させる。したがって、利用者は、短時間の中座をして部屋に戻った際に、光源ランプの輝度上昇を待つことなく表示画面を直ちに見ることが可能となる。また、装置本体の電力の消費を低減することが可能となると共に、限りある寿命の光源ランプを有効に利用することが可能となる。
【００１４】
【発明の実施の形態】
以下、添付図面を参照して、本発明に係るプロジェクタの好適な発明の実施の形態について説明する。
【００１５】
図１に示すテレビジョン装置１は、一例として、スクリーン２２の背面から投射光を投射することによって映像を表示する背面投射型のテレビジョン装置であって、装置本体２、人感センサ部４およびリモコン５を備えている。この場合、装置本体２は、ランプ駆動部２１、スクリーン２２、プロジェクタユニット２３、補助電源２５、主電源２６、制御部２７、受信部２８、映像信号処理部２９、メインスイッチ３０およびタイマ３１を備えて、各種の表示画面を表示可能に構成されている。また、装置本体２は、操作部（チャネル選択ボタン等）、映像信号入力部およびスピーカなどを備えている（いずれも図示せず）。
【００１６】
メインスイッチ３０は、投入状態において、商用交流用コンセントに接続されたＡＣプラグを介して入力される電力を補助電源２５および主電源２６に供給するためのスイッチであって、図２に示すように、装置本体２の前面に設けられている。補助電源２５は、補助用の直流電圧を生成して制御部２７および受信部２８を初めとして各部に供給する。主電源２６は、制御部２７から出力される電源制御信号Ｓ２によって電源生成動作の開始および停止が制御され、電源生成動作の状態では、補助電源２５による補助用の直流電圧に代えて各部に直流電圧を供給すると共に、ランプ駆動部２１に直流電圧を供給する。
【００１７】
ランプ駆動部２１は、主電源２６と相俟って本発明における光源ランプ用の電源を生成する電源部を構成し、主電源２６から電源の供給を受けたときに光源ランプ２４に対して電源の供給を開始し、主電源２６から電源の供給を停止されたときに光源ランプ２４に対する電源の供給を停止する。この場合、ランプ駆動部２１は、主電源２６から電源の供給を受けたときには、電源の電圧を徐々に上昇させつつ光源ランプ２４に供給する。プロジェクタユニット２３は、光源ランプ２４を備え、光源ランプ２４によって射出された白色光を、図示しない液晶パネル、入射側偏光板および射出側偏光板によって陰影や着色が施された投射光Ｌに光変調する。光源ランプ２４は、一例として高圧水銀ランプで構成され、ランプ駆動部２１によって電源が供給された際に点灯させられて白色光を射出する。スクリーン２２は、プロジェクタユニット２３によって光変調された投射光Ｌを受光して拡散光または平行光に変換することにより、各種の表示画面を表示する。
【００１８】
映像信号処理部２９は、一例として、チューナ、ＩＦ回路、音声検波回路、映像検波回路および増幅回路（いずれも図示せず）などを備えて構成され、例えばリモコン５の操作によって選択されたチャネルに対応する周波数の放送信号を抽出して、音声信号を図外の音声出力部に出力すると共に映像信号Ｓｇをプロジェクタユニット２３に出力する。
【００１９】
タイマ３１は、制御部２７によって出力される起動信号に従って時間の計測を開始し、一定時間（一例として１０分間）の経過を検出した時点で、制御部２７に対して時間経過信号Ｓｅを出力する。また、タイマ３１は、時間の計測中に制御部２７によって停止信号が出力された際には、それまでの計測時間をリセットすると共にその計測を中止する。
【００２０】
受信部２８は、人感センサ部４によって出力された信号（一例として赤外線信号）Ｓｉ、またはリモコン５によって出力された信号（一例として赤外線信号）Ｓｋを受信して、その受信信号を制御部２７が特定可能な電気信号Ｓ１に変換して制御部２７に出力する。また、この受信部２８は、図２に示すように、装置本体２の前面に設けられている。
【００２１】
制御部２７は、映像信号処理部２９およびタイマ３１を初めとして装置本体２全体の動作を統括的に制御すると共に、上記したように電源制御信号Ｓ２を出力して主電源２６による電源の生成・停止を制御する。
【００２２】
人感センサ部４は、図１，２に示すように、人感センサ４１、送信部４２および電池４３を備え、装置本体２とは別体に形成されて部屋の壁面などの任意の場所に取外し自在に設置することが可能に構成されている。具体的には、例えば、磁石を内蔵して構成され、被取付け対象体の金属部位に対して容易に着脱可能となっている。また、人感センサ４１は、利用者（人体）の存在を感知したときに検出信号Ｓｄを出力する。送信部４２は、人感センサ４１によって出力された検出信号Ｓｄを一例として赤外線信号Ｓｉに変換して送信する。以下、人感センサ部４がテレビジョン装置１の設置部屋における出入り口に設置されているものとして説明する。
【００２３】
リモコン５は、本発明における遠隔操作器に相当し、図１，２に示すように、装置本体２とは別体に形成されて、操作部５１、送信部５２および電池５３を備えている。操作部５１は、装置本体２における主電源２６の起動・停止を操作する電源スイッチや、選局（チャンネル切替え）、音量設定、画質設定などの各種操作を行うための複数の操作ボタンＢ，Ｂ・・が配列されて構成され、操作ボタンＢが操作されたときに、操作ボタンＢを特定可能な電気信号を出力する。送信部５２は、操作部５１によって出力された電気信号を一例として赤外線信号Ｓｋに変換して送信する。
【００２４】
次に、テレビジョン装置１の全体的な動作について、図面を参照して説明する。このテレビジョン装置１では、装置本体２に配設されたメインスイッチ３０が常時投入されている。したがって、補助電源２５は、制御部２７および受信部２８に対して電源を常時供給している。一方、主電源２６は、制御部２７から出力される電源制御信号Ｓ２によって電源の生成・停止を制御される。以下、メインスイッチ３０が投入され、かつ主電源２６が制御部２７の制御に従って電源の生成を停止している状態を待機状態として説明する。
【００２５】
利用者が装置本体２の設置された部屋に入室する際には、その出入り口に設置されている人感センサ部４内の人感センサ４１が、利用者の存在を感知して検出信号Ｓｄを送信部４２に出力する。次いで、送信部４２が、検出信号Ｓｄを赤外線信号Ｓｉに変換して送信する。これに応じて、装置本体２内の受信部２８が、赤外線信号Ｓｉを受信して電気信号Ｓ１に光電変換した後に制御部２７に出力する。次に、制御部２７は、電気信号Ｓ１を入力した時点で、図外の電源投入ランプを点灯させると共に電源制御信号Ｓ２を出力して主電源２６に対して電源生成動作を開始させる。これにより、主電源２６が電源を生成してランプ駆動部２１に出力する。したがって、ランプ駆動部２１が、光源ランプ２４用の直流電圧を生成して、その電圧を徐々に昇圧しつつ光源ランプ２４に対する供給を開始する。この結果、光源ランプ２４は、その仕様に応じて、その輝度を徐々に上昇させる。その後、一定時間を経過した時点において、光源ランプ２４の輝度は、スクリーン２２に対して表示画面の投射表示が十分に可能な定格輝度にまで上昇する。したがって、光源ランプ２４の輝度は、装置本体２やリモコン５の電源スイッチを操作して主電源２６を起動させるのと比較して、自動的に電源投入がされてしかも十分に早く定格輝度にまで上昇する。
【００２６】
一方、装置本体２が作動してスクリーン２２に表示画面を表示している状態において利用者が装置本体２の設置された部屋から退出した際には、人感センサ部４内の人感センサ４１が、利用者の不在を感知して検出信号Ｓｄの出力を停止する。次いで、送信部４２が、検出信号Ｓｄを変換して送信していた赤外線信号Ｓｉの送信を停止する。したがって、装置本体２内の受信部２８が、制御部２７に対する電気信号Ｓ１の出力を停止する。これに応じて、制御部２７は、電気信号Ｓ１の出力停止に基づいて利用者の不在を判別して、タイマ３１に起動信号を出力する。
【００２７】
続いて、タイマ３１は、起動信号を入力した時点から時間の計測を開始し、１０分間が経過した時点で時間経過信号Ｓｅを制御部２７に出力する。次いで、制御部２７は、時間経過信号Ｓｅを入力した時点で、電源投入ランプを消灯させると共に主電源２６に対して電源を停止させる電源制御信号Ｓ２を出力する。これに応じて、主電源２６は、電源制御信号Ｓ２の入力に基づいて電源の生成を停止する。このため、ランプ駆動部２１は、電源の供給停止に応じて光源ランプ２４に対する電源の供給を停止し、これにより、光源ランプ２４が消灯する。したがって、利用者が一定時間不在となった際に装置本体２が自動的に待機状態に移行させられる結果、装置本体２による電力の消費が低減されると共に、寿命が有限の光源ランプ２４の有効利用が図られる。
【００２８】
一方、タイマ３１に起動信号が出力された時を起点としてタイマ３１によって時間経過信号Ｓｅが出力されるまでの間において利用者が再び入室した際には、制御部２７は、人感センサ４１から出力された検出信号Ｓｄに基づいて利用者の存在を判別して、タイマ３１に停止信号を出力する。これに応じて、タイマ３１が時間計測を中止する。したがって、時間経過信号Ｓｅが出力されないため、制御部２７は、電源を停止させる電源制御信号Ｓ２を主電源２６に出力することなく、主電源２６、ランプ駆動部２１および光源ランプ２４を初めとする各部の作動状態を維持する。この結果、利用者は、短時間の中座の後に待たされることなく映像を見ることができる。
【００２９】
なお、本発明は、上記した本発明の実施の形態に限定されない。例えば、本発明の実施の形態では、人感センサ部４によって利用者の存在を感知する例について説明したが、本発明はこれに限定されず、図１，２に破線で示すように、リモコン５に人感センサ５４を備える構成を採用することができる。一般的に、テレビジョン装置１の表示画面を楽しむ際には、利用者はリモコン５を操作する。このテレビジョン装置１では、リモコン５に配設されている人感センサ（人感センサ部）５４が、リモコン５に近づいた利用者を感知したときに、送信部５２を介して装置本体２の受信部２８に検出信号Ｓｄを出力する。このため、人感センサ５４が、より確実に利用者の存在を感知する。したがって、利用者自らがリモコン５の電源スイッチや装置本体２の電源スイッチを操作するのと比較して、確実により早く映像を見ることができる。なお、装置本体２に人感センサを備える構成を採用することもできる。
【００３０】
さらに、本発明の実施の形態では、背面投射型表示装置を例に挙げて説明したが、前面投射型のプロジェクタに本発明を適用することもできる。また、本発明の実施の形態では、制御部２７が主電源２６を制御することによって電源の生成・停止を制御する例について説明したが、本発明はこれに限定されず、主電源２６とメインスイッチ３０との間に外部制御によって開閉可能なスイッチを配設し、このスイッチを制御部２７が制御することによって主電源２６による電源の生成・停止を制御する構成を採用することができる。
【００３１】
また、本発明の実施の形態では、人感センサ部４およびリモコン５から装置本体２に赤外線信号を送信する例について説明したが、本発明はこれに限定されず、無線信号や有線信号で送信する構成を採用することができる。また、本発明の実施の形態では、装置本体２内の受信部２８が人感センサ部４およびリモコン５から送信される信号の双方を受信する例について説明したが、人感センサ部４およびリモコン５から送信される信号を独立してそれぞれ受信する受信部を別個に備える構成を採用することもできる。また、検出信号Ｓｄの受信部２８への送信については、利用者の存在を意味する検出信号Ｓｄを連続的または間欠的に送信する構成を採用することもできるし、利用者の存在または不在を意味する検出信号Ｓｄを１回または間欠的に送信する構成を採用することもできる。
【００３２】
また、本発明の実施の形態では、利用者の不在時間が１０分のときに装置本体２を待機状態に移行させる例について説明したが、本発明はこれに限定されず、時間は任意に設定することができる。また、利用者によって時間を変更できる構成を採用することもできる。
【図面の簡単な説明】
【図１】テレビジョン装置１の構成を示すブロック図である。
【図２】装置本体２、人感センサ部４およびリモコン５の正面図である。
【符号の説明】
１  テレビジョン装置
４  人感センサ部
５  リモコン
２１  ランプ駆動部
２２  スクリーン
２３  プロジェクタユニット
２４  光源ランプ
２６  主電源
２７  制御部
２８  受信部
４１，５４  人感センサ
４２，５２  送信部
Ｌ  投射光
Ｓｄ  検出信号
【図１】
2004271966.tif 000003
【図２】
2004271966.tif 000004